(57)【要約】【課題】  誰が救助活動に行ったかがわかり、また事前登録していなくても利用できる緊急救助通知システムを提供する。【解決手段】  救助の要請を救助依頼者の携帯端末４が特番を用いて緊急事態通知情報を緊急救助通知装置３に送出する。無線基地局６が特番の接続を検知し、位置登録されている携帯端末に報知し、救助活動者の携帯端末５が受信し、救助活動実行情報を緊急救助通知装置３に送出する。緊急救助通知装置３が救助活動者を選定した結果を受け、選定された救助活動者Ａの端末装置５ａに救助活動指示情報を送出し、緊急救助通知装置３が選定されなかった救助活動者Ｂの端末装置５ｂに救助活動不要情報を送出し、救助活動者Ａの端末装置５ａが緊急救助通知装置３に救助活動状況情報を送出する。緊急救助通知装置３が救急機関通知情報を救急機関７に通知する。【選択図】  図１
2006025234.tif 000002
【特許請求の範囲】
【請求項１】
緊急事態の発生時に、携帯端末を用いて救助を要請するための緊急救助通知方法であって、
救助を要請する救助依頼者の携帯端末が、位置情報を含む、緊急事態を通知する緊急事態通知情報を緊急救助通知装置に特番を用いて送出する緊急事態通知送出ステップと、
無線基地局が、該特番により待機状態にある救助活動者の携帯端末を含む、該無線基地局に位置登録されている全部の携帯端末に緊急事態の発生を知らせる緊急事態発生情報を報知する緊急事態発生報知ステップと、
救助活動に行く該救助活動者の携帯端末が、位置情報を含む、救助活動の実行を通知する救助活動実行情報を該緊急救助通知装置に送出する救助活動実行送出ステップと、
該緊急救助通知装置が、該緊急事態通知情報および該救助活動実行情報に基づき、救助を行う救助活動者を選定する救助活動者選定ステップと、
選定された該救助活動者の携帯端末に該救助依頼者の携帯端末の位置情報を含む、救助活動を指示する救助活動指示情報を送出する救助活動指示送出ステップと、
選定されなかった該救助活動者の携帯端末に救助活動が不要であることを通知する救助活動不要情報を送出する救助活動不要送出ステップと、
該救助活動指示情報を受信した該救助活動者の携帯端末が、救助活動状況を報告する救助活動状況情報を該緊急救助通知装置に送出する救助活動状況送出ステップと
を有する緊急救助通知方法。
【請求項２】
緊急事態の発生時に、携帯端末を用いて救助を要請するための緊急救助通知方法であって、
救助を要請する救助依頼者の携帯端末が、位置情報を含む、緊急事態を通知する緊急事態通知情報を緊急救助通知装置に特番を用いて送出する緊急事態通知送出ステップと、
無線基地局が、該特番により待機状態にある救助活動者の携帯端末を含む、該無線基地局に位置登録されている全部の携帯端末に緊急事態の発生を知らせる緊急事態発生情報を報知する緊急事態発生報知ステップと、
救助活動に行く該救助活動者の携帯端末が、位置情報を含む、救助活動の実行を通知する救助活動実行情報を該緊急救助通知装置に送出する救助活動実行送出ステップと、
該緊急救助通知装置が、該緊急事態通知情報および該救助活動実行情報に基づき、救助を行う救助活動者を選定する救助活動者選定ステップと、
選定された該救助活動者の携帯端末に該救助依頼者の携帯端末の位置情報を含む、救助活動を指示する救助活動指示情報を送出する救助活動指示送出ステップと、
選定されなかった該救助活動者の携帯端末に救助活動が不要であることを通知する救助活動不要情報を送出する救助活動不要送出ステップと、
該救助活動指示情報を受信した該救助活動者の携帯端末が、救助活動状況を報告する救助活動状況情報を該緊急救助通知装置に送出する救助活動状況送出ステップと、
該緊急救助通知装置が、該救助依頼者の携帯端末に救助依頼料金を課金し、該救助活動状況情報を送出した該救助活動者の携帯端末に救助活動料金を支払う救助活動料金精算ステップと
を有する緊急救助通知方法。
【請求項３】
該緊急救助通知装置が、該救助依頼者の携帯端末および／または該救助活動者の携帯端末の少なくとも一部が送出する事前登録情報を蓄積する事前登録蓄積ステップを備える、請求項１または２に記載の緊急救助通知方法。
【請求項４】
該緊急救助通知装置が、該緊急事態通知情報と、該救助活動実行情報と、該救助活動状況情報のいずれかに基づき救急機関通知情報を救急機関に通知する救急機関通知ステップを備える、請求項１または２に記載の緊急救助通知方法。
【請求項５】
緊急事態の発生時に、携帯端末を用いて救助を要請するための緊急救助通知システムであって、
救助を依頼する救助依頼者の携帯端末と、救助活動者の携帯端末と、緊急救助通知装置と、無線基地局を有し、
救助を要請する救助依頼者の前記携帯端末は、位置情報を含む、緊急事態を通知する緊急事態通知情報を前記緊急救助通知装置に特番を用いて送出する緊急事態通知送出手段を有し、
救助活動者の前記携帯端末は、前記無線基地局が報知する緊急事態の発生を知らせる緊急事態発生情報を受信する緊急事態発生受信手段と、救助活動に行く場合は位置情報を含む、救助活動の実行を通知する救助活動実行情報を該緊急救助通知装置に送出する救助活動実行送出手段と、該緊急救助通知装置が送出する、該救助依頼者の携帯端末の位置情報を含む、救助活動を指示する救助活動指示情報を受信する救助活動指示受信手段と、救助活動が不要であることを通知する救助活動不要情報を受信する救助活動不要受信手段と、該救助活動指示情報を受信した場合は救助活動状況を報告する救助活動状況情報を該緊急救助通知装置に送出する救助活動状況送出手段とを有し、
該緊急救助通知装置は、該緊急事態通知情報を受信する緊急事態通知受信手段と、該救助活動実行情報を受信する救助活動実行受信手段と、該緊急事態通知情報および該救助活動実行情報に基づき、救助を行う救助活動者を選定する救助活動者選定手段と、選定された該救助活動者の携帯端末に該救助活動指示情報を送出する救助活動指示送出手段と、選定されなかった該救助活動者の携帯端末に該救助活動不要情報を送出する救助活動不要送出手段と、該救助活動指示情報を受信した該救助活動者の携帯端末が送出する該救助活動状況情報を受信する救助活動状況受信手段とを有し、
該無線基地局は、該特番により待機状態にある該救助活動者の携帯端末を含む、該無線基地局に位置登録されている全部の携帯端末に該緊急事態発生情報を報知する緊急事態発生報知手段と
を有する緊急救助通知システム。
【請求項６】
緊急事態の発生時に、携帯端末を用いて救助を要請するための緊急救助通知システムであって、
救助を依頼する救助依頼者の携帯端末と、救助活動者の携帯端末と、緊急救助通知装置と、無線基地局を有し、
救助を要請する救助依頼者の前記携帯端末は、位置情報を含む、緊急事態を通知する緊急事態通知情報を前記緊急救助通知装置に特番を用いて送出する緊急事態通知送出手段を有し、
救助活動者の前記携帯端末は、前記無線基地局が報知する緊急事態の発生を知らせる緊急事態発生情報を受信する緊急事態発生受信手段と、救助活動に行く場合は位置情報を含む、救助活動の実行を通知する救助活動実行情報を該緊急救助通知装置に送出する救助活動実行送出手段と、該緊急救助通知装置が送出する、該救助依頼者の携帯端末の位置情報を含む、救助活動を指示する救助活動指示情報を受信する救助活動指示受信手段と、救助活動が不要であることを通知する救助活動不要情報を受信する救助活動不要受信手段と、該救助活動指示情報を受信した場合は救助活動状況を報告する救助活動状況情報を該緊急救助通知装置に送出する救助活動状況送出手段とを有し、
該緊急救助通知装置は、該緊急事態通知情報を受信する緊急事態通知受信手段と、該救助活動実行情報を受信する救助活動実行受信手段と、該緊急事態通知情報および該救助活動実行情報に基づき、救助を行う救助活動者を選定する救助活動者選定手段と、選定された該救助活動者の携帯端末に該救助活動指示情報を送出する救助活動指示送出手段と、選定されなかった該救助活動者の携帯端末に該救助活動不要情報を送出する救助活動不要送出手段と、該救助活動指示情報を受信した該救助活動者の携帯端末が送出する該救助活動状況情報を受信する救助活動状況受信手段と、該救助依頼者の携帯端末に救助依頼料金を課金し、該救助活動状況情報を送出した該救助活動者の携帯端末に救助活動料金を支払う救助活動料金精算手段を有し、
該無線基地局は、該特番により待機状態にある該救助活動者の携帯端末を含む、該無線基地局に位置登録されている全部の携帯端末に該緊急事態発生情報を報知する緊急事態発生報知手段と
を有する緊急救助通知システム。
【請求項７】
該緊急救助通知装置は、該救助依頼者の携帯端末および／または該救助活動者の携帯端末の少なくとも一部が送出する事前登録情報を蓄積する事前登録蓄積手段を有する、請求項５または６に記載の緊急救助通知システム。
【請求項８】
該緊急救助通知装置は、該緊急事態通知情報と、該救助活動実行情報と、該救助活動状況情報のいずれかに基づき救急機関通知情報を救急機関に通知する救急機関通知手段を有する、請求項５または６に記載の緊急救助通知システム。
【請求項９】
緊急事態の発生時に、携帯端末を用いて救助を要請するための緊急救助通知システムで用いられる、救助を要請する救助依頼者の携帯端末において、位置情報を含む、緊急事態を通知する緊急事態通知情報を緊急救助通知装置に特番を用いて送出する緊急事態通知手段を有することを特徴とする、救助依頼者の携帯端末。
【請求項１０】
緊急事態の発生時に、携帯端末を用いて救助を要請するための緊急救助通知システムで用いられる、救助活動者の携帯端末であって、
無線基地局が報知する緊急事態の発生を知らせる緊急事態発生情報を受信する緊急事態発生受信手段と、
救助活動に行く場合は位置情報を含む、救助活動の実行を通知する救助活動実行情報を緊急救助通知装置に送出する救助活動実行送出手段と、
該緊急救助通知装置が送出する該救助依頼者の携帯端末の位置情報を含む、救助活動を指示する救助活動指示情報を受信する救助活動指示受信手段と、
救助活動が不要であることを通知する救助活動不要情報を受信する救助活動不要受信手段と、
該救助活動指示情報を受信した場合は救助活動状況を報告する救助活動状況情報を該緊急救助通知装置に送出する救助活動状況送出手段と
を有する、救助活動者の携帯端末。
【請求項１１】
緊急事態の発生時に、携帯端末を用いて救助を要請するための緊急救助通知システムで用いられる緊急救助通知装置であって、
救助を要請する救助依頼者の携帯端末が送出する位置情報を含む、緊急事態を通知する緊急事態通知情報を受信する緊急事態通知受信手段と、
救助活動に行く救助活動者の携帯端末が送出する位置情報を含む、救助活動の実行を通知する救助活動実行情報を受信する救助活動実行受信手段と、
該緊急事態通知情報および該救助活動実行情報に基づき、救助を行う救助活動者を選定する救助活動者選定手段と、
選定された該救助活動者の携帯端末に該救助依頼者の携帯端末の位置情報を含む、救助活動を指示する救助活動指示情報を送出する救助活動指示送出手段と、
選定されなかった該救助活動者の携帯端末に救助活動が不要であることを通知する救助活動不要情報を送出する救助活動不要送出手段と、
該救助活動指示情報を受信した該救助活動者の携帯端末が送出する救助活動状況を報告する救助活動状況情報を受信する救助活動状況受信手段と
を有する緊急救助通知装置。
【請求項１２】
緊急事態の発生時に、携帯端末を用いて救助を要請するための緊急救助通知システムで用いられる緊急救助通知装置であって、
救助を要請する救助依頼者の携帯端末が送出する位置情報を含む、緊急事態を通知する緊急事態通知情報を受信する緊急事態通知受信手段と、
救助活動に行く救助活動者の携帯端末が送出する位置情報を含む、救助活動の実行を通知する救助活動実行情報を受信する救助活動実行受信手段と、
該緊急事態通知情報および該救助活動実行情報に基づき、救助を行う救助活動者を選定する救助活動者選定手段と、
選定された該救助活動者の携帯端末に該救助依頼者の携帯端末の位置情報を含む、救助活動を指示する救助活動指示情報を送出する救助活動指示送出手段と、
選定されなかった該救助活動者の携帯端末に救助活動が不要であることを通知する救助活動不要情報を送出する救助活動不要送出手段と、
該救助活動指示情報を受信した該救助活動者の携帯端末が送出する救助活動状況を報告する救助活動状況情報を受信する救助活動状況受信手段と、
該救助依頼者の携帯端末に救助依頼料金を課金し、該救助活動状況情報を送出した該救助活動者の携帯端末に救助活動料金を支払う救助活動料金精算手段と
を有する緊急救助通知装置。
【請求項１３】
該救助依頼者の携帯端末および／または該救助活動者の携帯端末の少なくとも一部が送出する事前登録情報を蓄積する事前登録蓄積手段を有する、請求項１１または１２に記載の緊急救助通知装置。
【請求項１４】
該緊急事態通知情報と、該救助活動実行情報と、該救助活動状況情報のいずれかに基づき救急機関通知情報を救急機関に通知する救急機関通知手段を有する、請求項１１または１２に記載の緊急救助通知装置。
【請求項１５】
緊急事態の発生時に、携帯端末を用いて救助を要請するための緊急救助通知システムで用いられる無線基地局であって、救助を要請する救助依頼者の携帯端末が位置情報を含む、緊急事態を通知する緊急事態通知情報を緊急救助通知装置に特番を用いて送出する該特番により、待機状態にある救助活動者の携帯端末を含む、該無線基地局に位置登録されている全部の携帯端末に緊急事態の発生を知らせる緊急事態発生情報を報知する緊急事態発生報知手段を有する無線基地局。
【発明の詳細な説明】
【技術分野】
【０００１】
本発明は、緊急事態の発生時に、携帯端末を用いて救助を要請するための緊急救助通知方法、システム、および装置に関する。
【背景技術】
【０００２】
移動体通信システムの普及により、緊急事態の救助の要請をどこにいてもいつでも発信できるという救助依頼者の利便性を高めるだけでなく、救助依頼者の近くにいる救助活動が可能な救助活動者にできるだけ通知できるようにし、少しでも早く緊急事態に対処できるようにすることが望まれている。すなわち救助依頼者および救助活動者が共に移動している状態において、救助依頼者の近くにいる救助活動者に緊急を通知することを可能にする既存のシステムとしては、例えば特許文献１がある。特許文献１は、緊急の通報者が持つ無線端末が、緊急救助通報ボタンが押下されたことを検出すると無線端末ＩＤ（Identification）を付加した緊急救助通報信号を送出し、無線基地局が、本緊急救助通報信号を受信するとさらに無線基地局ＩＤを付加してセンタに送出し、本センタが、無線端末ＩＤから通報者の氏名等を特定し、本氏名等を含む緊急救助指示信号を作成し、本緊急救助指示信号を無線基地局ＩＤから無線基地局を特定して送出し、緊急救助指示信号を受信した無線基地局が、無線基地局に位置登録されている無線端末に対し緊急救助指示信号を送出するものである。これにより通報者と同一の無線サービスエリアにいる救助活動者に対し短時間のうちに緊急救助指示信号を通知することが可能になる。
【特許文献１】特許第３２７８６４５号
【発明の開示】
【発明が解決しようとする課題】
【０００３】
上記に述べた従来の、救助依頼者および救助活動者が共に移動している状態において、救助依頼者の近くにいる救助活動者に緊急を通知するシステムにあっては、救助依頼者に一番近くにいた救助活動者が救助に行ったのか、何人の救助活動者が行ったのか、あるいは誰も行かなかったのか等を知ることができず、また救助依頼者は事前登録をすることが前提になっているため、自分は大丈夫だと思って事前登録をしていない人は利用できないという問題がある。
【０００４】
本発明の目的は、誰が救助活動に行ったかがわかり、また事前登録していなくても利用できる緊急救助通知方法、システム、救助依頼者の携帯端末、救助活動者の携帯端末、緊急救助通知装置、および無線基地局を提供することにある。
【課題を解決するための手段】
【０００５】
本発明の緊急救助通知方法は、緊急事態の発生時に、携帯端末を用いて救助を要請するための緊急救助通知方法であって、救助を要請する救助依頼者の携帯端末が、位置情報を含む、緊急事態を通知する緊急事態通知情報を緊急救助通知装置に特番を用いて送出する緊急事態通知送出ステップと、無線基地局が、該特番により待機状態にある救助活動者の携帯端末を含む、該無線基地局に位置登録されている全部の携帯端末に緊急事態の発生を知らせる緊急事態発生情報を報知する緊急事態発生報知ステップと、救助活動に行くことが可能な該救助活動者の携帯端末が、位置情報を含む、救助活動の実行が可能なことを通知する救助活動実行情報を該緊急救助通知装置に送出する救助活動実行送出ステップと、該緊急救助通知装置が、該緊急事態通知情報および該救助活動実行情報に基づき、救助を行う救助活動者を選定する救助活動者選定ステップと、選定された該救助活動者の携帯端末に該救助依頼者の携帯端末の位置情報を含む、救助活動を指示する救助活動指示情報を送出する救助活動指示送出ステップと、選定されなかった該救助活動者の携帯端末に救助活動が不要であることを通知する救助活動不要情報を送出する救助活動不要送出ステップと、該救助活動指示情報を受信した該救助活動者の携帯端末が、救助活動状況を報告する救助活動状況情報を該緊急救助通知装置に送出する救助活動状況送出ステップとを有する。
【０００６】
また、本発明の他の緊急救助通知方法は、緊急事態の発生時に、携帯端末を用いて救助を要請するための緊急救助通知方法であって、救助を要請する救助依頼者の携帯端末が、位置情報を含む、緊急事態を通知する緊急事態通知情報を緊急救助通知装置に特番を用いて送出する緊急事態通知送出ステップと、無線基地局が、該特番により待機状態にある救助活動者の携帯端末を含む、該無線基地局に位置登録されている全部の携帯端末に緊急事態の発生を知らせる緊急事態発生情報を報知する緊急事態発生報知ステップと、救助活動に行くことが可能な該救助活動者の携帯端末が、位置情報を含む、救助活動の実行が可能なことを通知する救助活動実行情報を該緊急救助通知装置に送出する救助活動実行送出ステップと、該緊急救助通知装置が、該緊急事態通知情報および該救助活動実行情報に基づき、救助を行う救助活動者を選定する救助活動者選定ステップと、選定された該救助活動者の携帯端末に該救助依頼者の携帯端末の位置情報を含む救助活動を指示する救助活動指示情報を送出する救助活動指示送出ステップと、選定されなかった該救助活動者の携帯端末に救助活動が不要であることを通知する救助活動不要情報を送出する救助活動不要送出ステップと、該救助活動指示情報を受信した該救助活動者の携帯端末が、救助活動状況を報告する救助活動状況情報を該緊急救助通知装置に送出する救助活動状況送出ステップと、該緊急救助通知装置が、該救助依頼者の携帯端末に救助依頼料金を課金し、該救助活動状況情報を送出した該救助活動者の携帯端末に救助活動料金を支払う救助活動料金精算ステップとを有する。
【０００７】
また、本発明の実施態様によれば、緊急救助通知方法は、該緊急救助通知装置が、該救助依頼者の携帯端末および／または該救助活動者の携帯端末の少なくとも一部が送出する事前登録情報を蓄積する事前登録蓄積ステップを有する。
【０００８】
また、本発明の実施態様によれば、緊急救助通知方法は、該緊急救助通知装置が、該緊急事態通知情報と、該救助活動実行情報と、該救助活動状況情報のいずれかに基づき救急機関通知情報を救急機関に通知する救急機関通知ステップを有する。
【０００９】
上記に述べた方法により、救助依頼者からの距離を限定して救助活動者を選定することや救助活動者の人数を限定して選定すること、また事前登録をしていなくても利用すること、状況により救急機関に通知すること、さらに救助料金の精算が可能になる。
【００１０】
本発明の緊急救助通知システムは、緊急事態の発生時に、携帯端末を用いて救助を要請するための緊急救助通知システムであって、
救助を依頼する救助依頼者の携帯端末と、救助活動者の携帯端末と、緊急救助通知装置と、無線基地局を有し、
救助を要請する救助依頼者の携帯端末は、位置情報を含む、緊急事態を通知する緊急事態通知情報を緊急救助通知装置に特番を用いて送出する緊急事態通知送出手段を有し、
救助活動者の携帯端末は、無線基地局が報知する緊急事態の発生を知らせる緊急事態発生情報を受信する緊急事態発生受信手段と、救助活動に行くことが可能な場合は位置情報を含む、救助活動の実行が可能なことを通知する救助活動実行情報を該緊急救助通知装置に送出する救助活動実行送出手段と、該緊急救助通知装置が送出する該救助依頼者の携帯端末の位置情報を含む、救助活動を指示する救助活動指示情報を受信する救助活動指示受信手段と、救助活動が不要であることを通知する救助活動不要情報を受信する救助活動不要受信手段と、該救助活動指示情報を受信した場合は救助活動状況を報告する救助活動状況情報を該緊急救助通知装置に送出する救助活動状況送出手段とを有し、
該緊急救助通知装置は、該緊急事態通知情報を受信する緊急事態通知受信手段と、該救助活動実行情報を受信する救助活動実行受信手段と、該緊急事態通知情報および該救助活動実行情報に基づき、救助を行う救助活動者を選定する救助活動者選定手段と、選定された該救助活動者の携帯端末に該救助活動指示情報を送出する救助活動指示送出手段と、選定されなかった該救助活動者の携帯端末に該救助活動不要情報を送出する救助活動不要送出手段と、該救助活動指示情報を受信した該救助活動者の携帯端末が送出する該救助活動状況情報を受信する救助活動状況受信手段とを有し、
該無線基地局は、該特番により待機状態にある該救助活動者の携帯端末を含む、該無線基地局に位置登録されている全部の携帯端末に該緊急事態発生情報を報知する緊急事態発生報知手段を有する。
【００１１】
また、本発明の他の緊急救助通知システムは、緊急事態の発生時に、携帯端末を用いて救助を要請するための緊急救助通知システムであって、
救助を依頼する救助依頼者の携帯端末と、救助活動者の携帯端末と、緊急救助通知装置と、無線基地局を有し、
救助を要請する救助依頼者の携帯端末は、位置情報を含む、緊急事態を通知する緊急事態通知情報を緊急救助通知装置に特番を用いて送出する緊急事態通知送出手段を有し、
救助活動者の携帯端末は、無線基地局が報知する緊急事態の発生を知らせる緊急事態発生情報を受信する緊急事態発生受信手段と、救助活動に行くことが可能な場合は位置情報を含む、救助活動の実行が可能なことを通知する救助活動実行情報を該緊急救助通知装置に送出する救助活動実行送出手段と、該緊急救助通知装置が送出する該救助依頼者の携帯端末の位置情報を含む、救助活動を指示する救助活動指示情報を受信する救助活動指示受信手段と、救助活動が不要であることを通知する救助活動不要情報を受信する救助活動不要受信手段と、該救助活動指示情報を受信した場合は救助活動状況を報告する救助活動状況情報を該緊急救助通知装置に送出する救助活動状況送出手段とを有し、
該緊急救助通知装置は、該緊急事態通知情報を受信する緊急事態通知受信手段と、該救助活動実行情報を受信する救助活動実行受信手段と、該緊急事態通知情報および該救助活動実行情報に基づき、救助を行う救助活動者を選定する救助活動者選定手段と、選定された該救助活動者の携帯端末に該救助活動指示情報を送出する救助活動指示送出手段と、選定されなかった該救助活動者の携帯端末に該救助活動不要情報を送出する救助活動不要送出手段と、該救助活動指示情報を受信した該救助活動者の携帯端末が送出する該救助活動状況情報を受信する救助活動状況受信手段と、該救助依頼者の携帯端末に救助依頼料金を課金し、該救助活動状況情報を送出した該救助活動者の携帯端末に救助活動料金を支払う救助活動料金精算手段を有し、
該無線基地局は、該特番により待機状態にある該救助活動者の携帯端末を含む、該無線基地局に位置登録されている全部の携帯端末に該緊急事態発生情報を報知する緊急事態発生報知手段を有する。
【００１２】
また、本発明の実施態様によれば、緊急救助通知システムは、該緊急救助通知装置が、該救助依頼者の携帯端末および／または該救助活動者の携帯端末の少なくとも一部が送出する事前登録情報を蓄積する事前登録蓄積手段を有する。
【００１３】
また、本発明の実施態様によれば、緊急救助通知システムは、該緊急救助通知装置が、該緊急事態通知情報と、該救助活動実行情報と、該救助活動状況情報のいずれかに基づき救急機関通知情報を救急機関に通知する救急機関通知手段を有する。
【００１４】
上記に述べたシステムにより、救助依頼者からの距離を限定して救助活動者を選定すること、救助活動者の人数を限定して選定すること、事前登録をしていなくても利用すること、状況により救急機関に通知すること、さらに救助料金の精算が可能になる。
【００１５】
本発明の救助依頼者の携帯端末は、緊急事態の発生時に、携帯端末を用いて救助を要請するための緊急救助通知システムで用いられる、救助を要請する救助依頼者の携帯端末であって、位置情報を含む緊急事態を通知する緊急事態通知情報を緊急救助通知装置に特番を用いて送出する緊急事態通知手段を有する。
【００１６】
上記に述べた救助依頼者の携帯端末により、緊急救助通知システムを構成する装置であって、同じ無線サービスエリアにいる救助活動者に緊急事態を通知できる救助依頼者の携帯端末が構築可能になる。
【００１７】
本発明の救助活動者の携帯端末は、緊急事態の発生時に、携帯端末を用いて救助を要請するための緊急救助通知システムで用いられる救助活動者の携帯端末であって、無線基地局が報知する、緊急事態の発生を知らせる緊急事態発生情報を受信する緊急事態発生受信手段と、救助活動に行くことが可能な場合は位置情報を含む、救助活動の実行が可能なことを通知する救助活動実行情報を緊急救助通知装置に送出する救助活動実行送出手段と、該緊急救助通知装置が送出する該救助依頼者の携帯端末の位置情報を含む、救助活動を指示する救助活動指示情報を受信する救助活動指示受信手段と、救助活動が不要であることを通知する救助活動不要情報を受信する救助活動不要受信手段と、該救助活動指示情報を受信した場合は救助活動状況を報告する救助活動状況情報を該緊急救助通知装置に送出する救助活動状況送出手段とを有する。
【００１８】
上記に述べた救助活動者の携帯端末により、緊急救助通知システムを構成する装置であって、同じ無線サービスエリアにいる救助依頼者が通知する緊急事態を受信できる救助活動者の携帯端末が構築可能になる。
【００１９】
本発明の緊急救助通知装置は、緊急事態の発生時に、携帯端末を用いて救助を要請するための緊急救助通知システムで用いられる緊急救助通知装置であって、救助を要請する救助依頼者の携帯端末が送出する、位置情報を含む緊急事態を通知する緊急事態通知情報を受信する緊急事態通知受信手段と、救助活動に行くことが可能な救助活動者の携帯端末が送出する、位置情報を含む救助活動の実行が可能なことを通知する救助活動実行情報を受信する救助活動実行受信手段と、該緊急事態通知情報および該救助活動実行情報に基づき、救助を行う救助活動者を選定する救助活動者選定手段と、選定された該救助活動者の携帯端末に該救助依頼者の携帯端末の位置情報を含む、救助活動を指示する救助活動指示情報を送出する救助活動指示送出手段と、選定されなかった該救助活動者の携帯端末に救助活動が不要であることを通知する救助活動不要情報を送出する救助活動不要送出手段と、該救助活動指示情報を受信した該救助活動者の携帯端末が送出する救助活動状況を報告する救助活動状況情報を受信する救助活動状況受信手段とを有する。
【００２０】
また、本発明の他の緊急救助通知装置は、緊急事態の発生時に、携帯端末を用いて救助を要請するための緊急救助通知システムで用いられる緊急救助通知装置であって、救助を要請する救助依頼者の携帯端末が送出する位置情報を含む、緊急事態を通知する緊急事態通知情報を受信する緊急事態通知受信手段と、救助活動に行くことが可能な救助活動者の携帯端末が送出する位置情報を含む、救助活動の実行が可能なことを通知する救助活動実行情報を受信する救助活動実行受信手段と、該緊急事態通知情報および該救助活動実行情報に基づき、救助を行う救助活動者を選定する救助活動者選定手段と、選定された該救助活動者の携帯端末に該救助依頼者の携帯端末の位置情報を含む、救助活動を指示する救助活動指示情報を送出する救助活動指示送出手段と、選定されなかった該救助活動者の携帯端末に救助活動が不要であることを通知する救助活動不要情報を送出する救助活動不要送出手段と、該救助活動指示情報を受信した該救助活動者の携帯端末が送出する救助活動状況を報告する救助活動状況情報を受信する救助活動状況受信手段と、該救助依頼者の携帯端末に救助依頼料金を課金し、該救助活動状況情報を送出した該救助活動者の携帯端末に救助活動料金を支払う救助活動料金精算手段とを有する。
【００２１】
また、本発明の実施態様によれば、緊急救助通知装置は、該救助依頼者の携帯端末および／また該救助活動者の携帯端末の少なくとも一部が送出する事前登録情報を蓄積する事前登録蓄積手段を有する。
【００２２】
また、本発明の実施態様によれば、緊急救助通知装置は、該緊急事態通知情報と、該救助活動実行情報と、該救助活動状況情報のいずれかに基づき救急機関通知情報を救急機関に通知する救急機関通知手段を有する。
【００２３】
上記に述べた緊急救助通知装置により、緊急救助通知システムを構成する装置であって、救助依頼者からの距離を限定して救助活動者を選定することや救助活動者の人数を限定して選定すること、また事前登録をしていなくても利用すること、状況により救急機関に通知することを可能にし、さらに救助料金の精算を可能にする緊急救助通知装置が構築可能になる。
【００２４】
本発明の無線基地局は、緊急事態の発生時に、携帯端末を用いて救助を要請するための緊急救助通知システムで用いられる無線基地局であって、救助を要請する救助依頼者の携帯端末が位置情報を含む、緊急事態を通知する緊急事態通知情報を緊急救助通知装置に特番を用いて送出する該特番により、待機状態にある救助活動者の携帯端末を含む、該無線基地局に位置登録されている全部の携帯端末に緊急事態の発生を知らせる緊急事態発生情報を報知する緊急事態発生報知手段を有する。
【００２５】
上記に述べた無線基地局により、緊急救助通知システムを構成する装置であって、救助依頼者が通知する緊急事態を同じ無線サービスエリアにいる救助活動者に報知できる無線基地局が構築可能になる。
【発明の効果】
【００２６】
上記に述べた本発明によれば、下記の効果がある。
【００２７】
１）救助依頼者および救助活動者は、いつ、どこにいても救助依頼をすることができ、また救助活動を行うことができる。すなわち、救助依頼者は、同じ無線サービスエリアにいる救助活動者に緊急事態を通知することができる。また、救助活動者は、同じ無線サービスエリアにいる救助依頼者の緊急事態の通知を受けることができる。
【００２８】
２）救助依頼者からの距離を限定して救助活動者を選定することができる。すなわち、緊急救助通知装置は、救助活動者の携帯端末が送出する救助活動実行情報を受信し救助活動者を選定することから、救助依頼者と救助活動者との間の距離を限定して救助活動者を決めることができる。
【００２９】
３）人数を限定して救助活動者を選定することができる。すなわち、緊急救助通知装置は、救助活動者の携帯端末が送出する救助活動実行情報を受信し救助活動者を選定することから、人数を限定して救助活動者を決めることができる。
【００３０】
４）事前登録をしなくても利用することができ、事前登録をするとよりきめ細かなサービスを受けることができる。すなわち、緊急救助通知装置は、事前登録することを前提にしていないため、事前登録なしに利用可能になり、さらに事前登録をすることにより、よりきめ細かな対応を可能にする。
【００３１】
５）状況により救急機関に通知することができる。すなわち、緊急救助通知装置は、緊急事態通知情報、救助活動実行情報、および救助活動状況情報を集中して管理することから救急機関に通知するかどうかを判断し、通知が必要であるときは救助依頼者からの申し出がなくても通知することができる。
【００３２】
６）救助料金の精算を行うことができる。すなわち、緊急救助通知装置は、救助依頼者の携帯端末のアドレスおよび救助活動者の携帯端末のアドレスを知りえることから通信料に見立てた救助料金の精算を行うことができる。
【００３３】
７）救助活動者に後刻そのときの様子を問合せることが可能になる。すなわち、緊急救助通知装置は、救助活動者の携帯端末のアドレスを知りえることから後刻そのときの様子を問合せることができる。
【発明を実施するための最良の形態】
【００３４】
次に、本発明の実施の形態について図面を参照して説明する。
【００３５】
図１を参照すると、本発明の一実施形態の緊急救助通知システムは、中継ネットワーク１と、アクセスネットワーク２ａと、アクセスネットワーク２ｂと、緊急救助通知装置３と、救助依頼者の携帯端末４と、救助活動者Ａの携帯端末５ａと、救助活動者Ｂの携帯端末５ｂ（どの救助活動者の携帯端末であるかを特定しないときは救助活動者の携帯端末５と称する。以下同様）と、救急機関７とで構成されている。アクセスネットワーク２ａおよびアクセスネットワーク２ｂは中継ネットワーク１に接続されている。アクセスネットワーク２ａは無線アクセスネットワークであり、無線基地局６を有し、無線基地局６は、無線サービスエリア８を持ち、無線サービスエリア８の中に救助依頼者の携帯端末４および救助活動者の携帯端末５が存在し、救助依頼者の携帯端末４および救助活動者の携帯端末５は無線基地局６に位置登録されている。また、アクセスネットワーク２ｂに救急救助通知装置３および救急機関７が接続されている。
【００３６】
本システムは、救助を要請することになるかもしれない救助依頼者および救助活動者が共に移動している中で、いざ救助を要請することになった場合、救助を要請した救助依頼者と同じ無線サービスエリア８の中にいる救助活動者であって、今すぐ救助活動に行ける救助活動者が救助に行けることを緊急救助通知装置３に伝えることにより、緊急救助通知装置３が救助依頼者との距離や人数を限定して救助活動者を選定し救助活動を行うようにするものである。また、救助依頼者あるいは救助活動者は事前登録することを前提にしないが、事前登録をすることにより、よりきめ細かな対応ができるようになり、さらに救急機関に通知することや救助料金の精算を可能にするものである。
【００３７】
図２は、図１の救助依頼者の携帯端末４、救助活動者の携帯端末５、緊急救助通知装置３、および無線基地局６の構成例を示している。
【００３８】
救助依頼者の携帯端末４は、無線基地局６と通信接続を行うための無線通信部４１と、携帯端末全体を制御するための、入出力制御を含む制御部４２と、携帯端末の絶対位置を検出するＧＰＳ（Global  Positioning  System）４３と、救助依頼者が緊急事態を通知するために特番を用いて送出する操作（例えば＃９９９）を行うと、位置情報、携帯端末のアドレスを含む緊急事態通知情報を緊急救助通知装置３に送出する、緊急事態通知送出手段である緊急事態通知送出部４４を有している。
【００３９】
救助活動者の携帯端末５は、無線基地局６と通信接続を行うための無線通信部５１と、携帯端末全体を制御するための、入出力制御を含む制御部５２と、携帯端末の絶対位置を検出するＧＰＳ５３と、無線基地局６が報知する緊急事態が発生したことを知らせる緊急事態発生情報を受信する、緊急事態発生受信手段である緊急事態発生受信部５４と、緊急事態発生情報を受信した救助活動者のうち今すぐ救助活動に行くことが可能な救助活動者が、実行可能であることを通知するための操作（例えば特番を用いて送出する操作＃７７７）を行うと、位置情報、携帯端末のアドレスを含む救助活動実行情報を緊急救助通知装置３に送出する、救助活動実行送出手段である救助活動実行送出部５５と、緊急救助通知装置３が送出する救助依頼者の携帯端末の位置情報を含む、救助活動を指示する救助活動指示情報を受信する、救助活動指示受信手段である救助活動指示受信部５６と、緊急救助通知装置３が送出する、救助活動が不要であることを通知する救助活動不要情報を受信する、救助活動不要受信手段である救助活動不要受信部５７と、救助活動状況を報告する救助活動状況情報を緊急救助通知装置３に送出する、救助活動状況送出手段である救助活動状況送出部５８とを有している。
【００４０】
緊急救助通知装置３は、アクセスネットワーク２ｂと通信接続を行うための通信部３１と、緊急救助通知装置３全体を制御する制御部３２とを有し、制御部３２は、緊急事態通知情報を受信する、緊急事態通知受信手段である緊急事態通知受信部３２１と、救助活動実行情報を受信する、救助活動実行受信手段である救助活動実行受信部３２２と、緊急事態通知情報および救助活動実行情報に基づき、救助を行う救助活動者を選定する、救助活動選定手段である救助活動者選定部３２３と、救助活動指示情報を送出する、救助活動指示送出手段である救助活動指示送出部３２４と、救助活動不要情報を送出する、救助活動不要情報送出手段である救助活動不要送出部３２５と、救助活動状況情報を受信する、救助活動状況受信手段である救助活動状況受信部３２６と、救助依頼者が救助されるにあたっての希望事項あるいは救助活動者が保有する資格情報等の事前登録情報を登録する場合（図示を省略）にはこれを蓄積し、救助活動者選定部３２３において参照できるようにし、よりきめ細かな対応を可能にする、事前登録蓄積手段である事前登録蓄積部３２７と、緊急事態通知情報、救助活動実行情報、あるいは救助活動状況情報を参照し救急機関に通知する必要があるかどうかを判断し、通知する必要があると判断したときは、救助依頼の通知があった旨の救急機関通知情報を救急機関７に通知する、救急機関通知手段である救急機関通知部３２８と、緊急事態通知情報に基づき救助依頼料金を算出して救助依頼者の携帯端末４に課金し、救助活動状況情報に基づき救助活動料金を算出して救助活動者Ａの携帯端末５ａまたは救助活動者Ｂの携帯端末５ｂに支払う、救助料金精算手段である救助料金精算部３２９とを有している。
【００４１】
無線基地局６は、救助依頼者の携帯端末４および救助活動者Ａ、Ｂの携帯端末５を含む携帯端末と通信接続を行うための無線通信部６１と、アクセスネットワーク２ａとの接続を行うための通信部６２と、無線基地局６全体の制御を行う制御部６３と、緊急事態を通知する特番を用いた接続であることを検知し、待機状態にある救助活動者の携帯端末５を含む、無線基地局６に位置登録されている全部の携帯端末に緊急事態発生情報を報知する、緊急事態発生報知手段である緊急事態発生報知部６４を有している。
【００４２】
図３は、図１のシステムの構成装置間のつながりの一例を示す図である。ここでは、救助依頼者の携帯端末４が救助を要請し、救助活動者Ａの携帯端末５ａおよび救助活動者Ｂの携帯端末５ｂが今すぐ救助活動に行けることを緊急救助通知装置３に伝え、その結果救助活動者Ａの携帯端末５ａが選定された場合を示している。
【００４３】
（１）において、救助の要請を救助依頼者の携帯端末４の緊急事態通知送出部４４が特番を用いて緊急事態通知情報を緊急救助通知装置３に送出し、（２）において、緊急救助通知装置３の緊急事態通知受信部３２１がこれを受信し、（３）において、無線基地局６の緊急事態発生報知部６４が特番の接続を検知し、位置登録されている携帯端末に報知し、救助活動者の携帯端末５の緊急事態発生受信部５４が受信し、（４）において、救助活動実行送出部５５が救助活動実行情報を緊急救助通知装置３に送出し、緊急救助通知装置３の救助活動実行受信部３２２が受信することを示している。（５）において、緊急救助通知装置３の救助活動者選定部３２３が救助活動者を選定した結果を受け、救助活動指示送出部３２４が選定された救助活動者Ａの端末装置５ａに救助活動指示情報を送出し、救助活動者Ａの端末装置５ａの救助活動指示受信部５６がこれを受信し、（６）において、緊急救助通知装置３の救助活動不要送出部３２５が選定されなかった救助活動者Ｂの端末装置５ｂに救助活動不要情報を送出し、救助活動者Ｂの端末装置５ｂの救助活動不要受信部５７が受信し、（７）において、救助活動者Ａの端末装置５ａの救助活動状況送出部５８が緊急救助通知装置３に救助活動状況情報を送出し、緊急救助通知装置３の救助活動状況受信部３２６が受信することを示している。また、（８）は、緊急救助通知装置３の救急機関通知部３２８が救急機関通知情報を救急機関７に通知することを示している。
【００４４】
図４は、図３の救助依頼者の携帯端末４における本実施形態の処理例を示すフローチャートである。救助依頼者の特番の操作を制御部４２が受け緊急事態通知送出部４４に渡し（ステップ１０１）、緊急事態通知送出部４４が緊急事態通知情報を設定し送出する（ステップ１０２）。
【００４５】
図５は、図３の救助活動者の携帯端末５における本実施形態の処理例を示すフローチャートである。緊急事態発生受信部５４が緊急事態発生情報を受信し（ステップ２０１）、その内容を制御部５２に渡すことにより表示器（不図示）に表示され（ステップ２０２）、救助活動者は表示された内容を見て救助活動に行けるかどうかを判断し（ステップ２０３）、救助活動に行けるのであれば行くことを通知する操作をし、本操作を制御部５２が受け救助活動実行送出部５５に渡し（ステップ２０４）、救助活動実行送出部５５が救助活動実行情報を設定し送出する（ステップ２０５）。救助活動に行けないときはそのまま終了する。救助活動実行情報の送出後に送られてくる救助活動指示情報あるいは救助活動不要情報を待ち、救助活動指示情報が送出されてきた場合は救助活動指示受信部５６が受信し、救助活動不要情報が送出されてきた場合は救助活動不要受信部５７が受信し（ステップ２０６）、その内容を制御部５２に渡すことにより表示器に表示され（ステップ２０７）、救助活動者は表示された内容を見て自分が選定されたかどうかを確認し（ステップ２０８）、選定された場合は直ちに救助に向かい救助活動状況送出部５８が救助活動状況情報を設定し送出する（ステップ２０９）。
【００４６】
図６は、図３の緊急救助通知装置３における本実施形態の処理例を示すフローチャートである。事前登録がある場合は事前登録蓄積部３２７が事前登録情報を受信し蓄積する（ステップ３０１）。緊急事態通知情報が送出されてくると緊急事態通知受信部３２１がこれを受信し（ステップ３０２）、受信と同時にタイマーをセットし、そのタイマー内で救助活動実行受信部３２２が救助活動実行情報を受信し（ステップ３０３、３０４）、受信した救助活動実行情報を救助活動者選定部３２３に渡す。救助活動者選定部３２３は、救助活動実行者がいるかどうかを判断し（ステップ３０５）、救助活動実行者がいる場合は緊急事態通知情報および救助活動実行情報、あるいは事前登録情報がある場合は事前登録情報をも参照して救助活動者を選定し（ステップ３０６）、救助活動指示送出部３２４が救助活動指示情報を設定し送出し（ステップ３０７）、救助活動不要送出部３２５が救助活動不要情報を設定し送出し（ステップ３０８）、救助活動状況情報が送出されてくると救助活動状況受信部３２６がこれを受信する（ステップ３０９）。救助活動状況情報の受信により救急機関に通知が必要かどうかを判断し（ステップ３１０）、必要な場合は緊急機関通信部３２８が救急機関通知情報を設定し送出し（ステップ３１１）、一連の処理が終了したところで救助料金精算部３２９が救助依頼料金および救助活動料金の精算処理を行う（ステップ３１２）。
【００４７】
図７は、図３の無線基地局６における本実施形態の処理例を示すフローチャートである。緊急事態発生報知部６４が緊急事態の発生を通知する特番の接続を検知し（ステップ４０１）、緊急事態発生情報を設定し報知する（ステップ４０２）。
【００４８】
次に、本実施形態のシステムの動作を説明する。
【００４９】
図８は、図１のシステムの動作例を示すシーケンスチャートである。同図は救助依頼者の携帯端末４と、救助活動者Ａの携帯端末５ａと、救助活動者Ｂの携帯端末５ｂと、無線基地局６と、緊急救助通知装置３との間のシーケンスである。事前登録がある場合は緊急救助通知装置３が事前登録情報を受信し蓄積する（ステップ５０１）。救助依頼者の携帯端末４の緊急事態通知送出部４４が緊急事態通知情報を緊急救助通知装置３に特番を用いて送出し（ステップ５０２）、無線基地局６の緊急事態発生報知部６４が特番の接続を検知し緊急事態発生情報を報知し（ステップ５０３）、緊急事態通知情報を受信した救助活動者Ａの携帯端末５ａおよび救助活動者Ｂの携帯端末５ｂが救助活動実行情報を緊急救助通知装置３に送出する（ステップ５０４ａ、ステップ５０４ｂ）。続いて緊急救助通知装置３の救助活動者選択部３２３が救助活動者を選定し（ステップ５０５）、選定された救助活動者Ａの携帯端末５ａに救助活動指示情報を送出し（ステップ５０６）、救助活動者Ｂの携帯端末５ｂに救助活動不要情報を送出し（ステップ５０７）、救助活動者Ａの携帯端末５ａの救助活動状況送出部５８が救助活動状況情報を緊急救助通知装置３に送出する（ステップ５０８）。緊急救助通知装置３の救急機関通知部３２８が救急機関７に通知するかどうかを判断し、通知が必要であるときは救急機関通知情報を救急機関７に通知し（ステップ５０９）、一連の処理が終了したことで救助料金精算部３２９が救助料金の精算を行う（ステップ５１０）。
【００５０】
なお、本発明は、図１〜図８を用いて説明した形態に限定されるものではなく、その主旨を逸脱しない範囲において種々変更可能である。
【００５１】
また、緊急救助通知装置、無線基地局の機能は専用のハードウェアにより実現されるもの以外に、その機能を実現するためのプログラムを、コンピュータ読み取り可能な記録媒体に記録して、この記録媒体に記録されたプログラムをコンピュータシステムに読み込ませ、実行するものであってもよい。コンピュータ読み取り可能な記録媒体とは、フレキシブルディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間の間、動的にプログラムを保持するもの（伝送媒体もしくは伝送波）、その場合のサーバとなるコンピュータシステム内部の揮発性メモリのように、一定時間プログラムを保持しているものも含む。
【産業上の利用可能性】
【００５２】
上記に説明したとおり産業上の利用が可能であることは明らかである。すなわち緊急事態に携帯端末が役立つことから、携帯端末の利用需要が高まり、それを支えるシステムの導入および普及が加速されることが期待できる。
【図面の簡単な説明】
【００５３】
【図１】本発明の一実施形態の緊急救助通知システムの全体構成を示す図である。
【図２】図１のシステムにおける各構成装置の構成例を示す図である。
【図３】図１のシステムの構成装置間のつながりの一例を示す図である。
【図４】図２の救助依頼者の携帯端末における本実施形態の処理例を示すフローチャートである。
【図５】図２の救助活動者の携帯端末における本実施形態の処理例を示すフローチャートである。
【図６】図２の緊急救助通知装置における本実施形態の処理例を示すフローチャートである。
【図７】図２の無線基地局における本実施形態の処理例を示すフローチャートである。
【図８】図１のシステムの動作例を示すシーケンスチャートである。
【符号の説明】
【００５４】
１    中継ネットワーク
２ａ、２ｂ    アクセスネットワーク
３    緊急救助通知装置
３１    通信部
３２    制御部
３２１    緊急事態通知受信部
３２２    救助活動実行受信部
３２３    救助活動者選定部
３２４    救助活動指示送出部
３２５    救助活動不要送出部
３２６    救助活動状況受信部
３２７    事前蓄積部
３２８    緊急機関通知部
３２９    救助料金精算部
４    救助依頼者の携帯端末
４１    無線通信部
４２    制御部
４３    ＧＰＳ
４４    緊急事態通知送出部
５    救助活動者の携帯端末
５１    無線通信部
５２    制御部
５３    ＧＰＳ
５４    緊急事態発生受信部
５５    救助活動実行送出部
５６    救助活動指示受信部
５７    救助活動不要受信部
５８    救助活動状況送出部
６    無線基地局
６１    無線通信部
６２    通信部
６３    制御部
６４    緊急事態発生報知部
７    救急機関
８    無線サービスエリア
１０１、１０２、２０１〜２０９、３０１〜３１２、４０１、４０２、５０１〜５１０    ステップ
【図１】
2006025234.tif 000003
【図２】
2006025234.tif 000004
【図３】
2006025234.tif 000005
【図４】
2006025234.tif 000006
【図５】
2006025234.tif 000007
【図６】
2006025234.tif 000008
【図７】
2006025234.tif 000009
【図８】
2006025234.tif 000010